(57)【要約】【課題】使用者が冷却庫を使用する時間帯以外の時間帯において除霜運転することにより、除霜運転により、使用者の使用が妨げられることを抑制した冷却庫を提供する。【解決手段】冷却室２、３、４内の空気を冷却可能な冷却器１５と、冷却器１５に付着する霜を除霜可能な除霜手段３２と、除霜手段３２による除霜を一定期間禁止し、一定期間以外の期間で除霜を行うように除霜手段を制御する制御部３０とを備える。【選択図】図１
2007333318.tif 000002
【特許請求の範囲】
【請求項１】
冷却室内の空気を冷却可能な冷却器と、
前記冷却器に付着する霜を除霜可能な除霜手段と、
前記除霜手段による除霜を一定期間禁止し、前記一定期間以外の期間で除霜を行うように前記除霜手段を制御する制御部と、
を備えた冷却庫。
【請求項２】
前記一定期間は、冷却庫を使用した実績のある使用実績期間に基づき設定された、請求項１に記載の冷却庫。
【請求項３】
前記使用実績期間に関する使用実績データを格納可能な記憶部をさらに備え、
前記記憶部における前記使用実績データを更新可能とした、請求項２に記載の冷却庫。
【請求項４】
前記冷却庫の運転期間は、前記冷却庫を高出力で運転する高出力運転期間と、前記冷却庫を低出力で運転する低出力運転期間とを含み、
前記制御部は、前記高出力運転期間を前記一定期間と認識して、前記除霜手段の駆動を禁止する、請求項１に記載の冷却庫。
【請求項５】
冷却庫を使用することが見込まれる期間を予め、前記一定期間とした、請求項１に記載の冷却庫。
【請求項６】
除霜手段の除霜が禁止された前記一定期間中に、前記冷却器に付着した着霜量が所定量以上となると、前記一定期間経過後に、前記除霜手段の駆動を開始する、請求項１から請求項５のいずれかに記載の冷却庫。
【請求項７】
除霜が禁止される前記一定期間より、所定時間前に前記冷却器に付着した着霜量が所定量以上の場合には、除霜運転を開始する、請求項１から請求項６のいずれかに記載の冷却庫。
【請求項８】
収納物を急速冷凍可能な急速冷凍室と、
冷却室の開口部を閉塞可能な閉塞部材と、
庫外の明るさを検出する検出手段と、
前記使用実績データは、単位時間帯ごとの前記閉塞部材の開閉回数と、単位時間ごとの前記急速冷凍室の使用の有無と、単位時間ごとの庫外の明るさとのうち、少なくとも１つを含む、請求項３に記載の冷却庫。
【発明の詳細な説明】
【技術分野】
【０００１】
本発明は、冷却庫に関し、特に除霜運転可能な冷却庫に関する。
【背景技術】
【０００２】
従来から、収納物を収納する冷却室と、この冷却室内を冷却可能な冷却装置と、冷却装置に付着した霜を除霜可能な除霜運転可能な除霜装置と、収納物を急速冷凍可能な急速冷凍装置と、制御部とを備え、制御部が、冷却装置と、除霜装置と、急速冷凍装置とを制御する冷却庫が知られている（下記特許文献１参照）。
【０００３】
急速冷凍運転は、収納室内に収納された収納物をできるだけ迅速に冷却するために行われ、たとえば、使用者により、急速冷凍運転スイッチがＯＮされることにより、通常の冷凍室温度制御に関係なく、強制的に行われる。その一方で、除霜運転は、冷却装置の駆動時間が所定時間まで累積されると、制御部からの指令により、冷却装置の駆動が停止され、除霜装置が駆動することにより行われる。
【０００４】
そして、急速冷凍運転中に、除霜運転がなされないようにするために、従来から各種制御がなされている。たとえば、特開昭６３−５８０７７号公報および特開昭６３−１７６９８２号公報に記載された冷却庫においては、急速冷凍運転が開始された場合には、冷却装置の駆動時間のカウントを停止することにより、急速冷凍運転中に除霜運転がなされることを抑制している。
【０００５】
さらに、特開平５−１８６５４号公報および特開平５−１８７８号公報には、冷却庫を使用する使用者の１日の行動パターンにあわせた除霜開始時期を設定した冷却庫が記載されている。
【０００６】
この冷却庫は、単位時間ごとに扉の開閉回数が記憶された記憶部を備えており、タイマの積算時間が所定の時間となると、この時から、積算時間が限界時間となるまでの間において、扉の開閉回数の最も小さいときを除霜開始時刻とする。
【０００７】
この冷却庫によれば扉の開閉の少ない時間帯において、除霜運転を開始することができる。
【特許文献１】特表平９−５０３２８９号公報
【特許文献２】特開昭６３−５８０７７号公報
【特許文献３】特開昭６３−１７６９８２号公報
【特許文献４】特開平５−１８６５４号公報
【特許文献５】特開平５−１８７８号公報
【発明の開示】
【発明が解決しようとする課題】
【０００８】
上記従来の急速冷凍機能と除霜運転機能とを有する冷却庫においては、除霜運転中には、急速冷凍運転がなされないようになっており、使用者に対しては、急速冷凍運転ができない旨の表示等がなされる。このため、上記従来の冷却庫においては、除霜運転中であると、使用者が収納物を急速冷凍したいときであっても、急速冷凍できなという不都合が生じる。すなわち、従来の冷却庫においては、使用者が、急速冷凍調理等、冷却庫を使用したいときに、除霜運転がなされていることにより、冷却装置の駆動が禁止され、使用者の使用が妨げられるという問題があった。
【０００９】
特開平５−１８６５４号公報に記載された冷却庫においては、除霜開始時刻は、扉の開閉の少ない時間帯を選択することができても、除霜運転中に、扉の開閉頻度の高い時間帯がくるおそれがある。
【００１０】
本発明は、上記の課題に鑑みてなされたものであり、その目的は、使用者が冷却庫を使用する時間帯以外の時間帯において除霜運転することにより、除霜運転により、使用者の使用が妨げられることを抑制した冷却庫を提供することである。
【課題を解決するための手段】
【００１１】
本発明に係る冷却庫は、冷却室内の空気を冷却可能な冷却器と、冷却器に付着する霜を除霜可能な除霜手段と、除霜手段による除霜を一定期間禁止し、一定期間以外の期間で除霜を行うように除霜手段を制御する制御部とを備える。
【００１２】
好ましくは、一定期間は、冷却庫を使用した実績のある使用実績期間に基づき設定される。
【００１３】
好ましくは、使用実績期間に関する使用実績データを格納可能な記憶部をさらに備え、記憶部における使用実績データを更新可能とした。
【００１４】
好ましくは、冷却庫の運転期間は、冷却庫を高出力で運転する高出力運転期間と、冷却庫を低出力で運転する低出力運転期間とを含み、制御部は、高出力運転期間を一定期間と認識して、除霜手段の駆動を禁止する。
【００１５】
好ましくは、冷却庫を使用することが見込まれる期間を予め、一定期間とする。
好ましくは、除霜手段の除霜が禁止された一定期間中に、冷却器に付着した着霜量が所定量以上となると、一定期間経過後に、除霜手段の駆動を開始する。
【００１６】
好ましくは、除霜が禁止される一定期間より、所定時間前に冷却器に付着した着霜量が所定量以上の場合には、除霜運転を開始する。
【００１７】
好ましくは、収納物を急速冷凍可能な急速冷凍室と、冷却室の開口部を閉塞可能な閉塞部材と、庫外の明るさを検出する検出手段と、使用実績データは、単位時間帯ごとの閉塞部材の開閉回数と、単位時間ごとの急速冷凍室の使用の有無と、単位時間ごとの庫外の明るさとのうち、少なくとも１つを含む。
【発明の効果】
【００１８】
本発明に係る冷却庫によれば、除霜運転により使用者の使用が妨げられることを抑制することができる。
【発明を実施するための最良の形態】
【００１９】
（実施の形態１）
図１は、本実施の形態１に係るスターリング冷却庫１００を示す断面図である。スターリング冷却庫（冷却庫）１００は、断熱材料からなり、複数の冷却室２、４および収納物を急速冷凍可能な急速冷凍室３を規定する筐体１と、各動作を制御する制御部３０とを備えている。
【００２０】
各冷却室２、４および急速冷凍室３は、スターリング冷却庫１００の正面側に、開口部を有し、各開口部は、扉５、６、７によって閉塞可能とされている。各冷却室２、４および急速冷凍室３内には、収納された食品（収納物）の種類に適合した棚９と、各扉５、６、７の開閉状態をセンシングするセンサ３３、３６とが設けられている。
【００２１】
筐体１の背面の一角には、機械室１０が設けられており、この機械室１０内には、スターリング冷凍機１１が配置されている。
【００２２】
このスターリング冷凍機１１は、駆動時に、冷熱を発する低温部と、高熱を発する高熱部とを備えている。
【００２３】
そして、低温部には、低温側凝縮器１２が設けられている。この低温側凝縮器１２と、冷却室４の背面側に設けられた低温側蒸発器（冷却手段）１５と、低温側凝縮器１２と低温側蒸発器１５との間を接続する冷媒配管１６とによって、低温側循環回路１４が構成されている。
【００２４】
この低温側循環回路１４には、ＣＯ２等の冷媒が封入されており、低温側凝縮器１２と低温側蒸発器１５との間で熱の授受が行われる。
【００２５】
低温側蒸発器１５の近傍には、低温側蒸発器１５の表面に付着する霜を除去するためのヒータ３２が設けられている。
【００２６】
筐体１の内部には、低温側蒸発器１５によって得られた冷気を冷却室２、４や急速冷凍室３に分配するためのダクト２０が設けられている。ダクト２０内には、各冷却室２、４内および急速冷凍室３内に冷気を強制的に供給するファン２２、２３が設けられている。低温側蒸発器１５の近傍に配置されたファン２４が駆動すると、低温側蒸発器１５の周囲の空気が対流し、低温側蒸発器１５の周囲に、比較的温度の高い新たな空気が供給される。
【００２７】
ダクト２０には、冷却室２、４および急速冷凍室３に連通する冷気供給口２１が形成されている。
【００２８】
また、ダクト２０内には、ダクト２０の連通状態を制御可能なダンパ２５が設けられている。このダンパ２５によって、ダクト２０が閉塞され、ファン２３が駆動すると、低温側蒸発器１５によって生成された冷気は、優先的に、急速冷凍室３内に供給される。これにより、急速冷凍室３内で、急速冷凍調理が可能とされている。
【００２９】
筐体１には、庫外の明るさをセンシングするセンサ３４が設けられている。そして、制御部３０は、ヒータ３２、スターリング冷凍機１１、ダンパ２５やファン２２、２３、２４等の駆動を制御可能とされている。制御部３０には、記憶部３１と、タイマ３５とが設けられている。そして、記憶部３１は、センサ３３、３６からの扉５、６、７開閉回数および扉５、６，７が開閉された時間帯とを記憶する。さらに、記憶部３１は、時間帯ごとに、センサ３４からの庫外の明るさと、急速冷凍室３が使用された時間帯とを記憶する。
【００３０】
スターリング冷凍機１１の高温部には、高温側蒸発器１３が設けられている。また、筐体１の上面には、庫外環境に放熱を行う高温側凝縮器３７と、送風ファン４１とが設けられている。高温側蒸発器１３と、高温側凝縮器３７と、高温側凝縮器３７と高温側蒸発器１３とを接続する冷媒配管とによって、高温側循環回路４０が構成されている。
【００３１】
この高温側循環回路４０内には、水（水溶液を含む）または炭化水素系の自然冷媒が密封されている。
【００３２】
上記のように構成されたスターリング冷却庫１００において、スターリング冷凍機１１が駆動すると、低温部の温度が低下する。これにより、低温側凝縮器１２内の冷媒が冷却され、凝縮される。
【００３３】
低温側凝縮器１２内で凝縮された冷媒は、低温側循環回路１４内を循環して、低温側蒸発器１５内に流れ込む。低温側蒸発器１５内に流れ込んだ冷媒は、低温側蒸発器１５を通りぬける空気の熱で蒸発し、低温側蒸発器１５を冷却する。そして、低温側蒸発器１５を通る空気は、冷媒と熱交換して冷却され冷気となる。このようにして生成された冷気は、ダクト２０を通り、冷却室２、４および急速冷凍室３内に供給される。その後、図示されないダクトを通って、低温側蒸発器１５に還流する。
【００３４】
なお、低温側蒸発器１５内で蒸発した冷媒は、低温側循環回路１４内を通り、低温側凝縮器１２内で再度凝縮される。
【００３５】
その一方で、スターリング冷凍機１１の駆動によって発熱する熱は、高温側蒸発器１３内の冷媒を加熱し、蒸発させる。高温側蒸発器１３内で気相状態となった冷媒は、高温側循環回路４０内を通って、高温側凝縮器３７内に流れ込む。高温側凝縮器３７内に流れ込んだ気相の冷媒は、庫外の空気とによって冷却され、凝縮される。そして、凝縮された冷媒は、高温側循環回路４０をとおり、高温側蒸発器１３内に還流する。
【００３６】
上記のように、スターリング冷却庫１００を駆動しつづけると、低温側蒸発器１５の表面に霜が付着して、低温側蒸発器１５の表面に付着した霜を除霜する除霜運転を行う必要がある。さらに、この除霜運転を行った後に、高温となった低温側蒸発器１５を冷却するために、ファン２２、２３、２４の駆動を停止したままスターリング冷凍機１１を駆動させる予冷運転を行う必要がある。
【００３７】
このような除霜運転中は、スターリング冷凍機１１の運転が停止し、ヒータ３２が駆動しており、庫内温度が高く、また、予冷運転時においても庫内温度は高く、急速冷凍室３を用いて、急速冷凍調理ができない状況にある。このため、使用者が急速冷凍室３を使用するタイミングでは、除霜運転およびこれに伴う予冷運転を行わないようにするのが好ましい。
【００３８】
図２は、図１に示す記憶部３１内に格納されたスターリング冷却庫１００の使用実績データを示すタイムフロー図である。この図２に示されるように、記憶部３１には、２４時間（一定期間）を１６分割した時間帯０〜１５が格納されており、各時間帯０〜１５ごとのスターリング冷却庫１００の使用実績値からなる使用実績データが記憶されている。使用実績値は、扉５、６、７の開閉回数と、庫外の明るさと、急速冷凍室３の使用の有り無しによって算出される。
【００３９】
具体的には、使用実績値は、スターリング冷却庫１００の駆動を開始した初期状態では、０とされている。そして、スターリング冷却庫１００の使用過程において、扉５、６、７がＮ回開閉された場合には、その扉５，６，７の開閉がなされた時間帯の使用実績値に、ＮにＰ１を乗じた値（Ｎ×Ｐ１）が加えられる。また、各時間帯０〜１５において、庫外の明るさの平均値が、所定値以上となると、当該時間帯の使用実績値にＰ２が加えられる。さらに、各時間帯０〜１５において、急速冷凍室３を用いた急速冷凍調理がなされた場合には、その時間帯の使用実績値にＰ３が加えられる。
【００４０】
このようにして、記憶部３１には、スターリング冷却庫１００の使用実績データが蓄積されていく。
【００４１】
なお、スターリング冷却庫１００の初期状態では、各時間帯０〜１５の使用実績値は、０とされており、たとえば、消費者が購入して、家等で使用を開始したときから、各時間帯０〜１５の使用実績値のカウントが開始される。そして、記憶部３１に時間帯ごとの使用実績値が記憶される。なお、１つの時間帯の長さとしては、除霜運転を開始してから完了するまでの時間を基準とし、この除霜に要する時間とするのが好ましい。
【００４２】
また、記憶部３１に格納されている時間帯０〜１５は、２４時間を１６分割されることにより規定されているが、これに限らず、１６分割以下であってもよく、１６分割より多く分割して、時間帯を規定してもよい。
【００４３】
制御部３０は、スターリング冷却庫１００の使用が開始され、２４時間経過すると、この２４時間の間に、記憶部３１に蓄積された使用実績データに基づいて、除霜禁止時間帯（一定期間）Ａ１〜Ａ４を設定する。除霜禁止時間帯Ａ１〜Ａ４は、各時間帯０〜１５における使用実績値のうち、大きい順番に４つ選択し、このときの時間帯を除霜禁止時間帯Ａ１〜Ａ４とする。そして、制御部３０は、１日目からさらに２４時間経過すると、記憶部３１に記憶された１日目の使用実績データと、２日目の使用実績データとを用いて、新たな除霜禁止時間帯Ａ１〜Ａ４を設定する。
【００４４】
すなわち、各時間帯０〜１５において、１日目の使用実績値に２日目の使用実績値を加え、そして、新たな使用実績値の大きい順番に４つ選択し、このときの時間帯０〜１５を新たな除霜禁止時間帯Ａ１〜Ａ４とする。
【００４５】
図３は、スターリング冷却庫１００の使用開始から、３０日以上経過したときに、除霜運転禁止時間帯を設定するフローチャートである。なお、記憶部３１は、３０日分の使用実績データを格納することができる。そして、２４時間経過するごとに、データの更新作業を行っているが、この更新作業は、１番古いデータを削除して、新しいデータを取り入れる（先入れ先出し方式）を採用している。このため、たとえば、使用が開始されてから３０日を経過して、３１日目のデータを格納する際には、１日目のデータが削除される。
【００４６】
図３および図１において、記憶部３１は、各時間帯０〜１５と各時間帯０〜１５ごとの使用実績値とからなる１日分の使用実績データＴ１〜Ｔ３０を既に、３０日分記憶している。
【００４７】
具体的には、使用実績データＴｎ（ｎ日前の使用実績データ。但し、ｎは１以上３０以下の整数。）は、Ｑ（ｎ、ｍ）、Ｒ（ｎ、ｍ）、Ｓ（ｎ、ｍ）（但し、ｍは、０以上１５以下の整数であって時間帯の数と一致する。）を含む。そして、Ｑ（ｎ、ｍ）は、ｎ日前の時間帯ｍにおける庫外明るさから算出された使用実績値を示し、Ｒ（ｎ、ｍ）は、ｎ日前の時間帯ｍにおける扉開閉回数から算出された使用実績値を示す。さらに、Ｓ（ｎ、ｍ）は、ｎ日前の時間帯ｍにおける急速冷凍調理の有無から算出された使用実績値を示す。
【００４８】
ここで、Ｑ（ｎ、ｍ）を算出するには、まず、ｎ日前の時間帯ｍに亘って、時間帯ｍの期間中における庫外の明るさをセンシングする。そして、時間帯ｍにおける庫外の明るさの平均値を算出する。この算出された明るさの平均値が所定値以上の場合には、Ｑ（ｎ、ｍ）を、Ｐ１（実数好ましくは整数。たとえば、５ポイント）とする。
【００４９】
そして、Ｒ（ｎ、ｍ）を算出するには、ｎ日前の時間帯ｍにおいて、たとえば、図１に示す扉５，６，７の開閉回数がＮ回の場合には、Ｒ（ｎ、ｍ）をＮ×Ｐ２（たとえば、２ポイント）とする。
【００５０】
さらに、Ｓ（ｎ、ｍ）を算出するには、ｎ日前の時間帯ｍにおいて、たとえば、急速冷凍室３を用いて、急速冷凍調理がなされた場合には、Ｓ（ｎ、ｍ）をＰ３（たとえば、１０ポイント）とする。
【００５１】
そして、制御部３０は、この３０日分の使用実績データＴ１〜Ｔ３０に基づいて、次の日の除霜運転禁止時間帯Ａ１〜Ａ４を設定する。
【００５２】
具体的には、図３に示されるように、まず、時間帯毎に、庫外の明るさから算出された使用実績値の３０日分の合計値を算出する。具体的には、Ｑｍ（時間帯ｍにおける庫外の明るさから算出された使用実績値の３０日間の合計値）＝Ｑ（１、ｍ）＋Ｑ（２、ｍ）＋Ｑ（３、ｍ）＋・・・＋Ｑ（ｎ、ｍ）＋・・・＋Ｑ（３０、ｍ）となる。
【００５３】
そして、時間帯ごとに、図１に示す扉５，６，７の開閉回数から算出された使用実績値の合計値を算出する。Ｒｍ（時間帯ｍにおける扉開閉回数から算出された使用実績値の３０日分の合計値）＝Ｒ（１、ｍ）＋Ｒ（２、ｍ）＋Ｒ（３、ｍ）＋・・・＋Ｒ（ｎ、ｍ）＋・・・＋Ｒ（３０、ｍ）となる。
【００５４】
さらに、時間帯ごとに、図１に示す急速冷凍室３の使用の有無から算出された使用実績値の合計値を算出する。Ｓｍ（時間帯ｍにおける急速冷凍室の使用有無から算出された使用実績値の３０日分の合計値）＝Ｓ（１、ｍ）＋Ｓ（２、ｍ）＋Ｓ（３、ｍ）＋・・・＋Ｓ（ｎ、ｍ）＋・・・＋Ｓ（３０、ｍ）となる。
【００５５】
これにより、合計使用実績Ｔｔｏｔａｌは、（Ｕ０（Ｑ０，Ｒ０，Ｓ０）、Ｕ１（Ｑ１，Ｒ１，Ｓ１）、Ｕ２（Ｑ２，Ｒ２，Ｓ２）、・・・、Ｕｍ（Ｑｍ，Ｒｍ，Ｓｍ）、・・・、Ｕ１５（Ｑ１５，Ｒ１５，Ｓ１５））となる。
【００５６】
そして、この合計Ｔｔｏｔａｌにおいて、各時間帯毎の使用実績値の合計を算出する。具体的には、Ｍ０＝Ｑ０＋Ｒ０＋Ｓ０、Ｍ１＝Ｑ１＋Ｒ１＋Ｓ１、Ｍ２＝Ｑ２＋Ｒ２＋Ｓ２、・・・、Ｍｍ＝Ｑｍ＋Ｒｍ＋Ｓｍ、・・・、Ｍ１５＝Ｑ１５＋Ｒ１５＋Ｓ１５となる。
【００５７】
そして、これら、合計使用実績値Ｍ０〜Ｍ１５のうち、大きい順に４つ選択し、そのときの時間帯を除霜禁止時間帯Ａ１〜Ａ４とする。
【００５８】
なお、除霜運転禁止時間帯Ａ１〜Ａ４を算出する方法は、上記算出方法に限られない。たとえば、まず、各時間帯において、３０日間のうち、庫外の明るさが所定値以上となった回数を３０で除して、平均回数を算出し、この平均値にＰ１を乗じて、庫外が明るくなることにより、加えられる使用実績値の平均値を算出する。
【００５９】
そして、扉５，６，７の開閉回数によって加えられる使用実績値についても、同様に、平均値を算出し、また、急速冷凍室３の使用により加えられる使用実績値の平均値を算出する。その後、各平均値を合計して、この合計値の大きい４つの時間帯０〜１５を除霜運転禁止時間帯Ａ１〜Ａ４としてもよい。
【００６０】
なお、使用実績値を算出するにあたり用いられるＰ１、Ｐ２、Ｐ３は、それぞれ、Ｐ１：Ｐ２：Ｐ３＝２：５：１０となるように設定されている。なお、Ｐ１、Ｐ２、Ｐ３の比は、上記の値に限定されない。Ｐ３の重みをＰ１、Ｐ２より大きくすることとしたのは、使用者が急速冷凍室３を用いて、急速冷凍調理等を行いたいときに、除霜運転により、急速冷凍室３を使用できないという事態を回避する必要性が大きいためである。
【００６１】
ここで、庫外の明るさも、使用実績値の算出の材料としたのは、庫外が明るいということは、日の光または照明の明かりにより明るいと考えられ、使用者が活動中であり、スターリング冷却庫１００を使用する可能性が高いためである。
【００６２】
また、扉５，６，７の開閉回数も、使用実績値の算出の材料としたのは、扉５，６，７が開閉される時間帯は、使用者が、スターリング冷却庫１００を使用しており、急速冷凍調理を行う確率の高い時間帯と考えることができるためである。
【００６３】
すなわち、本実施の形態１においては、扉の開閉が行われる時間帯、庫外が明るい時間帯、急速冷凍室を用いて、急速冷凍調理が行われる時間帯は、スターリング冷凍機の駆動が大きい高出力運転期間と認識し、この高出力運転期間を除霜運転禁止時間帯としている。その一方で、この高出力運転期間以外の期間で除霜運転することとしている。
【００６４】
上記のように、除霜禁止時間帯Ａ１〜Ａ４を算出した状態で、どのタイミングで除霜運転を行うかについて、説明する。
【００６５】
図４および図５は、除霜禁止時間帯を算出した後に、実際に除霜運転する時間帯を決定するためのフローチャートである。
【００６６】
図４において、まず、制御部３０は、時間帯０〜１５の各時間帯の切り換りのタイミングか否かを判断する（ｓｔｅｐ１）。そして、時間帯０〜１５の各時間帯の切り換りのタイミングであると判断した場合には、この切り換りのタイミングが時間帯０から時間帯１５への切り換りのタイミングか否かについて判断する（ｓｔｅｐ２）。そして、図１に示す制御部３０は、時間帯１５から時間帯０への切り換りと判断すると、制御部３０は、新たな除霜運転禁止時間帯Ａ１〜Ａ４を設定する作業に取り掛かる。
【００６７】
具体的には、まず、制御部３０は、最も古い使用実績データを消去し、替わりに、最も直近の使用実績データを新たに入力する（ｓｔｅｐ３）。
【００６８】
ここで、最も新しい使用実績データを入力する際、図１に示す記憶部３１には、最も新しい時間帯０〜時間帯１５について、各時間帯０〜１５毎に、時々刻々の庫外の明るさに関するデータと、扉５，６，７の開閉回数と、急速冷凍調理がなされたか否かの情報が記憶されている。そこで、まず、制御部３０は、各時間帯０〜１５の庫外明るさに関するデータから、各時間帯０〜１５毎に庫外の明るさの平均値を算出する。そして、算出された庫外の明るさが、所定値より大きい場合には、その時間帯０〜１５の使用実績値に、Ｐ１を加える。
【００６９】
さらに、各時間帯０〜１５毎に、扉５，６，７の開閉回数Ｎに、Ｐ２を乗じた値をその時間帯０〜１５の使用実績値に加える。また、急速冷凍室３を用いて、急速冷凍調理がなされた時間帯０〜１５の使用実績値に、Ｐ３を加える。
【００７０】
このようにして、制御部３０は、最も新しい２４時間の使用実績データを作成して、この最も新しい使用実績データを最も古い使用実績データの代わりに、記憶部３１に格納して、使用実績データの更新を行う。そして、この更新された３０日分の使用実績データに基づいて、図３に示すステップにより、新たな除霜運転禁止時間帯Ａ１〜Ａ４を設定する（ｓｔｅｐ４）。
【００７１】
このように、新たな除霜運転禁止時間帯Ａ１〜Ａ４を設定した際、現時点で、除霜運転中か否かを判断する（ｓｔｅｐ５）。なお、上記「ｓｔｅｐ２」において、制御部３０は、時間帯の切り替えが、時間帯１５から時間帯０への切り替えではないと判断すると、「ｓｔｅｐ５」の、現在、除霜運転中か否かを判断する。
【００７２】
図５は、除霜運転がなされた際に、除霜運転終了後になされる制御フローを示すフローチャートである。
【００７３】
図４および図５において、制御部３０は、除霜運転禁止時間帯Ａ１〜Ａ４を新たに設定したとき、または、図４の「ｓｔｅｐ２」において、時間帯１５から時間帯０への切り替えではないと判断したときにおいて、除霜運転がなされていると判断されると、この除霜運転および予冷運転（復帰運転）がこの時間帯で終了するのかについて判断する（ｓｔｅｐ６）。
【００７４】
そして、制御部３０は、この時間帯内で、除霜運転および予冷運転が終了するものと判断した場合には、除霜運転および予冷運転の終了後に、次の新たな時間帯の使用実績値の算出を開始する（ｓｔｅｐ７）。
【００７５】
ここで、新たな除霜運転禁止時間帯Ａ１〜Ａ４が設定されたときの時間帯内で除霜運転および予冷運転が終了しないと、制御部３０が判断したときにも、次の新たな時間帯の使用実績値の算出を行う。
【００７６】
使用実績値の算出を行う際には、まず、図１に示されたセンサ３４によって測定された庫外の明るさと、センサ３３，３６によって測定された扉５，６，７の開閉回数と、急速冷凍室３を用いて、急速冷凍がなされたか否かとについて記憶される。
【００７７】
そして、制御部３０は、図１に示すセンサ３４から入力される庫外の明るさ情報を記憶部３１に格納する（ｓｔｅｐ８）。
【００７８】
また、制御部３０は、図１に示すセンサ３３，３６によって測定された扉５，６，７の開閉回数Ｎを記憶部３１に格納する（ｓｔｅｐ９）。
【００７９】
さらに、制御部３０は、図１に示す急速冷凍室３を用いて、急速冷凍調理等がなされたか否かを記憶部３１に格納する（ｓｔｅｐ１０）。このようなｓｔｅｐ８〜ｓｔｅｐ１０までの処理を繰り返すことにより、各時間帯０〜１５毎に、庫外の明るさ情報、扉５，６，７の開閉回数および急速冷凍調理がなされたかについての、使用実績が記憶部３１に格納される。
【００８０】
そして、図４において、「ｓｔｅｐ５」にて、除霜運転がなされていないと判断されると、制御部３０は、次の時間帯０〜１５が、除霜運転禁止時間帯Ａ１〜Ａ４であるか、否かを判断する（ｓｔｅｐ１１）。
【００８１】
制御部３０は、次の時間帯０〜１５が除霜運転禁止時間帯Ａ１〜Ａ４と判断すると、次の時間帯０〜１５が除霜運転禁止時間帯Ａ１〜Ａ４か否かについて判断する（ｓｔｅｐ１２）。
【００８２】
なお、制御部３０は、上記「ｓｔｅｐ１１」において、次の時間帯が除霜運転禁止時間帯Ａ１〜Ａ４でないと判断すると、図５に示すように、再度、その時間帯における庫外明るさ情報、扉５，６，７の開閉、急速冷凍調理がなされたかについての情報が記憶部３１に蓄積する。
【００８３】
制御部３０は、次の時間帯０〜１５が、除霜運転禁止時間帯Ａ１〜Ａ４であると判断すると、まず、図１に示す低温側蒸発器１５に付着した霜付量を算出する。
【００８４】
なお、低温側蒸発器１５に付着した霜付量は、冷凍冷蔵庫の運転時間や、スターリング冷却庫１００の運転時間から予想される霜付量に加えて、扉５，６，７が開閉されることにより、庫内に入り込む水蒸気量を、扉５，６，７の開閉回数から予想し、この庫内に入り込んだ水蒸気量から、低温側蒸発器１５に付着する霜付量を予想する。そして、算出された霜付量が、除霜開始霜付量の７割より大きいか、否かについて判断する（ｓｔｅｐ１３）。なお、除霜開始霜付量は、低温側蒸発器１５の冷却能力を確保しつつ、低温側蒸発器１５に付着することができる霜付量の最大量から８割程度の範囲に定められ、予め記憶部３１に格納された数値である。
【００８５】
「ｓｔｅｐ１３」において、算出された霜付量が、除霜開始霜付量の７割より大きいと判断された場合には、除霜運転およびこれに伴う予冷運転が開始される（ｓｔｅｐ１４）。除霜運転が開始されると、制御部３０は、図５に示すように、再度、庫外の明るさ、扉５，６，７の開閉および、急速冷凍室３において急速冷凍調理がなされたかについての情報が記憶部３１に格納する。
【００８６】
このように、除霜運転禁止時間帯Ａ１〜Ａ４が２つ連続して設定されている場合には、霜付量が除霜開始霜付量に達していない場合においても、除霜運転することにより、除霜禁止時間帯Ａ１〜Ａ４を経過した際に、過大な霜が低温側蒸発器１５に付着することを抑制することができる。これにより、低温側蒸発器の冷却能力が著しく低下することを抑制することができる。
【００８７】
なお、この「ｓｔｅｐ１２」において、算出された霜付量が、除霜開始霜付量の７割以下と判断されると、除霜運転はされず、図４に示すように、制御部３０は、再度、庫外の明るさ、扉５，６，７の開閉回数および、急速冷凍室３において急速冷凍調理がなされたかについて、センシングおよび使用実績データの作成を行う。
【００８８】
このように制御することとしたのは、この程度の霜付量であれば、２つの除霜運転禁止時間帯を経過した後においても、霜付量が過大な量となるおそれも小さく、図１に示す低温側蒸発器１５の冷却能力が著しく低下するとは考え難いためである。
【００８９】
さらに、このように制御することにより、使用がスターリング冷却庫１００を使用する確率が高い除霜運転禁止時間帯Ａ１〜Ａ４内に、除霜運転が食い込むことを抑制することができる。
【００９０】
このため、たとえば、使用者が図１に示す急速冷凍室３を用いて、急速冷凍調理を行おうとした際に、除霜運転中により急速冷凍室３の使用ができない等という弊害が生じることを抑制することができる。
【００９１】
ここで、上記「ｓｔｅｐ１２」において、制御部３０が、次の次が除霜運転禁止時間帯ではないと判断した場合には、図１に示す低温側蒸発器１５に付着した霜付量が、除霜開始霜付量の８割より多いかについて判断する。
【００９２】
そして、低温側蒸発器１５に付着した霜付量が、除霜開始霜付量の８割より多いと判断した場合には、除霜運転を開始する（ｓｔｅｐ１４）。
【００９３】
その一方で、低温側蒸発器１５に付着した霜付量が、除霜開始霜付量の８割以下であると判断した場合には、図５において、制御部３０は、図１に示すセンサ３４から入力される庫外の明るさ情報を記憶部３１に格納する（ｓｔｅｐ８）。また、制御部３０は、図１に示すセンサ３３，３６によって測定された扉５，６，７の開閉回数Ｎを記憶部３１に格納する（ｓｔｅｐ９）。さらに、制御部３０は、図１に示す急速冷凍室３を用いて、急速冷凍調理等がなされたか否かを記憶部３１に格納する（ｓｔｅｐ１０）。
【００９４】
図４において、上記「ｓｔｅｐ４」において、制御部３０は、時間帯の切り換りのタイミングではないと判断したときには、除霜運転またはこれに伴う予冷運転中であるか否かを判断する（ｓｔｅｐ１５）。
【００９５】
そして、除霜運転、予冷運転中である場合には、図５において、除霜運転および予冷運転（復帰運転）終了後または、除霜運転および予冷運転中に、制御部３０は、庫外の明るさ情報と、扉５，６，７の開閉回数と、急速冷凍室３における急速冷凍調理の有無とについて、記憶部３１に格納する（ｓｔｅｐ６〜ｓｔｅｐ１０）。
【００９６】
上記「ｓｔｅｐ１５」において、制御部３０が、除霜運転または予冷運転中ではないと判断した場合には、図１に示す低温側蒸発器１５に付着した霜付量が、除霜開始霜付量以上かについて判断する（ｓｔｅｐ１６）。
【００９７】
そして、低温側蒸発器１５に付着した霜付量が、除霜開始霜付量以上と判断した場合には、現在の時間帯０〜１５が、除霜運転禁止時間帯Ａ１〜Ａ４か否かについて判断する（ｓｔｅｐ１７）。
【００９８】
ここで、制御部３０は、現在が除霜運転禁止時間帯Ａ１〜Ａ４であると判断した場合には、図１に示す低温側蒸発器１５に付着した霜付量が、除霜開始霜付量の２倍以上であるか否かを判断する（ｓｔｅｐ１８）。
【００９９】
そして、低温側蒸発器１５に付着した霜付量が、除霜開始霜付量の２倍以上と判断した場合には、除霜運転を開始する（ｓｔｅｐ１９）。
【０１００】
すなわち、除霜運転禁止時間帯Ａ１〜Ａ４であっても、低温側蒸発器１５に付着した霜付量が、除霜開始霜付量の２倍以上のように、過大な量の霜が低温側蒸発器１５に付着している場合には、除霜運転を優先させる。このように制御することとしたのは、上記のような過大な量の霜が低温側蒸発器１５に付着していると、低温側蒸発器１５の冷却能力は、著しく低減しているおそれがあるため、早急に除霜して、冷却能力を回復させる必要があるためである。
【０１０１】
そして、制御部３０は、除霜運転中または除霜運転終了後に、図１に示すセンサ３４から入力される庫外の明るさ情報を記憶部３１に格納する（ｓｔｅｐ６〜８）。また、制御部３０は、図１に示すセンサ３３，３６によって測定された扉５，６，７の開閉回数Ｎを記憶部３１に格納する（ｓｔｅｐ９）。さらに、制御部３０は、図１に示す急速冷凍室３を用いて、急速冷凍調理等がなされたか否かを記憶部３１に格納する（ｓｔｅｐ１０）。
【０１０２】
ここで、上記「ｓｔｅｐ１６」において、制御部３０は、霜付量が除霜開始霜付量より少ないと判断すると、図５において、庫外の明るさ、扉５，６，７の開閉回数と、急速冷凍調理の有無について、記憶部３１に格納する。
【０１０３】
また、上記「ｓｔｅｐ１７」において、制御部３０は、現在の時間帯０〜１５が除霜運転禁止時間帯Ａ１〜Ａ４でないと判断すると、除霜運転を開始する（ｓｔｅｐ１９）。
【０１０４】
このようにして、使用者が、急速冷凍調理を行う確率が高い時間帯０〜１５を避けて、除霜期間を設定する。これにより、使用者が、急速冷凍調理を行おうとする際に、除霜運転中であることにより、使用者が、急速冷凍調理を行うことができないという弊害を抑制することができる。
【０１０５】
（実施の形態２）
本実施の形態１においては、スターリング冷却庫１００は、図１に示すタイマ３５の駆動に基づいて時間帯０〜１５が規定されており、時間帯０〜１５と時刻との関係はないものとなっている。
【０１０６】
そこで、時刻を考慮した制御方法をも加味した上で、使用者がスターリング冷却庫１００の使用タイミングと、除霜運転とのタイミングとのバッティングをさらに抑制する制御方法について、図１、図６および図７を用いて説明する。
【０１０７】
図１において、タイマ３５は時計機能を有しており、使用者によって時刻合わせを行うことができるものとなっている。このようなタイマ３５を備えたスターリング冷却庫１００において、上記図３に示された制御フローに代えて、図６に示す制御フローを採用する。図６は、上記図３に示された制御フローと同様に、図１に示す記憶部３１内に蓄積された３０日分の各時間帯０〜１５毎に格納された時々刻々の庫外の明るさと、時間帯０〜１５毎に記憶部３１に格納された扉５，６，７の開閉回数と、時間帯０〜１５毎に記憶部３１に格納された急速冷凍調理の有無に基づいて、除霜禁止時間帯Ａ１〜Ａ４を算出するためのフローチャートである。
【０１０８】
そして、図６に示す「ｓｔｅｐ２０」〜「ｓｔｅｐ２３」の手順は、上記図３に示された手順と同様であるため、詳細な説明は省略する。
【０１０９】
この「ｓｔｅｐ２０」〜「ｓｔｅｐ２３」の手順を経ることにより、合計Ｔｔｏｔａｌにおいて、各時間帯毎の使用実績値の合計が算出される。具体的には、Ｍ０＝Ｑ０＋Ｒ０＋Ｓ０、Ｍ１＝Ｑ１＋Ｒ１＋Ｓ１、Ｍ２＝Ｑ２＋Ｒ２＋Ｓ２、・・・、Ｍｍ＝Ｑｍ＋Ｒｍ＋Ｓｍ、・・・、Ｍ１５＝Ｑ１５＋Ｒ１５＋Ｓ１５となる。
【０１１０】
そして、制御部３０は、各時間帯毎の使用実績値の合計を算出した後に、図１に示すタイマ３５の時刻合わせが完了しているか否かを判断する（ｓｔｅｐ２４）。
【０１１１】
制御部３０は、タイマ３５の時刻合わせがなされていると判断すると、各時間帯の合計使用実績値Ｍ０〜Ｍ１５の補正を行う。
【０１１２】
たとえば、時間帯０が、０時に該当する場合には、時間帯０，１，２，１５の合計使用実績値Ｍ０、Ｍ１、Ｍ２、Ｍ１５を、Ｍ０＝Ｑ０＋Ｒ０＋Ｓ０＋０、Ｍ１＝Ｑ１＋Ｒ１＋Ｓ１＋０、Ｍ２＝Ｑ２＋Ｒ２＋Ｓ２＋０、Ｍ１５＝Ｑ１５＋Ｒ１５＋Ｓ１５＋０と補正する。
【０１１３】
さらに、時間帯３，６，９，１３，１４の合計使用実績値Ｍ３、Ｍ６、Ｍ９、Ｍ１３、Ｍ１４を、Ｍ３＝Ｑ３＋Ｒ３＋Ｓ３＋（１０（ポイント）×３０（日））、Ｍ６＝Ｑ６＋Ｒ６＋Ｓ６＋（１０（ポイント）×３０（日））、Ｍ９＝Ｑ９＋Ｒ９＋Ｓ９＋（１０（ポイント）×３０（日））、Ｍ１３＝Ｑ１３＋Ｒ１３＋Ｓ１３＋（１０（ポイント）×３０（日））、Ｍ１４＝Ｑ１４＋Ｒ１４＋Ｓ１４＋（１０（ポイント）×３０（日））とする。
【０１１４】
また、時間帯５，７、１０の合計使用実績値Ｍ５、Ｍ７、Ｍ１０を、Ｍ５＝Ｑ５＋Ｒ５＋Ｓ５＋（１５（ポイント）×３０（日））、Ｍ７＝Ｑ７＋Ｒ７＋Ｓ７＋（１５（ポイント）×３０（日））、Ｍ１０＝Ｑ１０＋Ｒ１０＋Ｓ１０＋（１５（ポイント）×３０（日））とする。
【０１１５】
そして、時間帯４，８，１１、１２の合計使用実績値Ｍ４、Ｍ８、Ｍ１１、Ｍ１２を、Ｍ４＝Ｑ４＋Ｒ４＋Ｓ４＋（３０（ポイント）×３０（日））、Ｍ８＝Ｑ８＋Ｒ８＋Ｓ８＋（３０（ポイント）×３０（日））、Ｍ１１＝Ｑ１１＋Ｒ１１＋Ｓ１１＋（３０（ポイント）×３０（日））、Ｍ１２＝Ｑ１２＋Ｒ１２＋Ｓ１２＋（３０（ポイント）×３０（日））とする。
【０１１６】
図２において、使用者がスターリング冷却庫１００を使用する確率が一般的に高い時刻に該当する時刻帯においては、使用実績値の値が大きくなるように補正している。これにより、一般的な使用態様と乖離した制御が行われることを抑制することができ、使用者が急速冷凍調理等を行いたい際に、除霜運転中となる確率をさらに低減することができる。
【０１１７】
特に、使用者が使用開始した直後においては、使用者の使用による使用実績データの蓄積がなされていない。このようなときにおいても、一般的に、使用実績が見込まれる時間帯の使用実績値の値が大きくなるように補正することにより、除霜運転により、使用者の使用が妨げられる確率を低減することができる。
【０１１８】
なお、上記「ｓｔｅｐ２４」において、図１に示すタイマ３５の時刻合わせがなされていないと判断したときには、上記図３に示された手順と同様の手順が行われる（ｓｔｅｐ２６）。
【０１１９】
そして、本実施の形態２に係る制御方法においては、上記実施の形態１の制御方法を示した図４および図５に示された制御方法に加えて、若しくは代えて、図７に示された制御を行ってもよい。この図７は、時刻を考慮して、除霜運転を行うタイミングを設定するためのフローチャート図である。
【０１２０】
この図７に示されるように、まず、制御部３０は、除霜運転がなされているかを判断する。そして、制御部３０は、除霜運転がなされていると判断した場合には、除霜運転およびこれに伴う予冷運転がなされているか否かを判断する（ｓｔｅｐ２７）。
【０１２１】
また、上記「ｓｔｅｐ２７」において、除霜運転がなされていないと判断した場合には、制御部３０は、図１に示すタイマ３５の時刻あわせがなされているか否かを判断する。  
【０１２２】
制御部３０は、タイマ３５の時刻合わせがなされていると判断した場合には、現在の時刻が４時または４時台であるか否かを判断する（ｓｔｅｐ３１）。
【０１２３】
そして、制御部３０は、現在の時刻が４時または４時台であると判断すると、図１に示された低温側蒸発器１５に付着した霜付量が除開始霜付量の８割より大きいか否かを判断する（ｓｔｅｐ３２）。制御部３０は、低温側蒸発器１５に付着した霜付量が除霜開始霜付量の８割より大きいと判断すると、除霜運転を開始させる。
【０１２４】
このように、一般的に、４時または４時台であれば、使用者は、就寝中であると考えられ、急速冷凍調理等を行う確率は低いと考えられる。このため、除霜運転を行ったとしても、使用者のスターリング冷却庫１００の使用を阻害する確率は低いものと考えられる。
【０１２５】
その一方で、６時ごろから８時ごろまでの間においては、朝食の準備のために、スターリング冷却庫１００が使用される確率が高くなると考えられる。
【０１２６】
このため、ある程度、霜付量が除霜開始霜付量の８割以上ある場合には、朝食の準備期間を経過すると、過大な霜が付着するおそれがあるので、予め除霜することとしている。
【０１２７】
ここで、上記「ｓｔｅｐ３１」において、制御部３０は、現在の時刻が４時または４時台でもないと判断すると、現在の時刻が６時から８時であるか判断する。
【０１２８】
そして、制御部３０は、現在の時刻が、６時から８時までの時刻であると判断すると、図１に示された低温側蒸発器１５に付着した霜付量が、除霜開始霜付量の２倍以上であるか判断する（ｓｔｅｐ３８）。
【０１２９】
６時から８時までの間は、一般的に、朝食の準備期間と考えられ、使用者が頻繁にスターリング冷却庫１００を使用するものと考えられる。そこで、大量の霜が低温側蒸発器１５に付着している場合以外には、除霜運転せずに、使用者の使用を優先させることとしている。
【０１３０】
また、制御部３０は、現在の時刻が、６時から８時までの時刻ではないと判断した場合には、１１時から１３時までの時刻に該当するかを判断する（ｓｔｅｐ３５）。そして、現在の時刻が１１時から１３時まで間に入る場合には、低温側蒸発器１５の霜付量が、除霜開始霜付量の２倍以上でなければ、除霜運転を行わないこととしている。これは、１１時から１３時までの間は、一般的に、昼食の準備期間にあたると考えられるためである。
【０１３１】
さらに、制御部３０は、現在の時刻が、１１時から１３時までの間に入らないと判断した場合には、現在の時刻が、１６時から１９時までの間に入るかについて判断する。
【０１３２】
一般に、１６時から１９時までの間は、夜食の準備期間にあたると考えられるからである。そのため、制御部３０は、現在の時刻が、１６時から１９時までの間に入る場合には、低温側蒸発器１５に付着した霜付量が、除霜開始霜付量の２倍以上でなければ、除霜運転しないこととしている。
【０１３３】
なお、上記「ｓｔｅｐ３０」において、制御部３０は、タイマ３５の時刻合わせがなされていないと判断したときには、低温側蒸発器１５に付着した霜付量が、除霜開始霜付量より多いがを判断する。そして、霜付量が、除霜開始霜付量より多いと判断したときには、除霜運転を開始させる。
【０１３４】
その一方で、霜付量が、除霜開始霜付量より少ない場合には、図５に示された「ｓｔｅｐ６」から「ｓｔｅｐ１０」までの制御が行われる。
【０１３５】
このように、本実施の形態２に係る制御方法によれば、一般的にスターリング冷却庫１００の使用が見込まれる時間帯においては、除霜運転がなされないように制御することできる。
【０１３６】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１３７】
本発明は、冷却庫、特に、蒸発器の表面に付着した霜を除霜可能な機能を有した冷却庫に好適である。
【図面の簡単な説明】
【０１３８】
【図１】本実施の形態１に係るスターリング冷却を示す断面図である。
【図２】図１に示す記憶部内に格納されたスターリング冷却庫の使用実績データを示すタイムフロー図である。
【図３】スターリング冷却庫の使用開始から、除霜運転禁止時間帯を設定するフローチャートである。
【図４】除霜禁止時間帯を算出した後に、実際に除霜運転する時間帯を決定するためのフローチャートである。
【図５】除霜運転がなされた際に、除霜運転終了後になされる制御フローを示すフローチャートである。
【図６】上記図３に示された制御フローと同様に、除霜禁止時間帯を算出するためのフローチャートである。
【図７】時刻を考慮して、除霜運転を行うタイミングを設定するためのフローチャート図である。
【符号の説明】
【０１３９】
１  筐体、２  冷却室、３  急速冷凍室、１１  スターリング冷凍機、１２  低温側凝縮器、１３  高温側蒸発器、１４  低温側循環回路、１５  低温側蒸発器、２０  ダクト、２１  冷気供給口、２２，２３，２４  ファン、２５  ダンパ、３０  制御部、３１  記憶部、３２  ヒータ、３３，３４，３６  センサ、３５  タイマ、３７  高温側凝縮器、４０  高温側循環回路、１００  スターリング冷却庫、Ａ１  除霜運転禁止時間帯。
【図１】
2007333318.tif 000003
【図２】
2007333318.tif 000004
【図３】
2007333318.tif 000005
【図４】
2007333318.tif 000006
【図５】
2007333318.tif 000007
【図６】
2007333318.tif 000008
【図７】
2007333318.tif 000009